【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】記録再生装置、送受信方法および記憶媒体
【手続補正２】
【補正対象書類名】明細書
【補正対象項目名】特許請求の範囲
【補正方法】変更
【補正の内容】
【特許請求の範囲】
【請求項１】  第１の記憶媒体からデータを再生する再生手段と、
上記第１の記憶媒体から再生されたデータより生成された識別情報を送信する送信手段と、
上記送信手段によって送信された上記識別情報に従って第２の記憶媒体から検索された上記識別情報に対応する付加情報を受信する受信手段と、
上記受信手段により受信された上記付加情報を上記データあるいは上記識別情報に対応させて記憶手段に記録する記録手段と、
上記記憶手段に記録される上記付加情報に基づいて上記第１の記憶媒体に記憶される上記データあるいは上記識別情報を検索する検索手段と
を備える
ことを特徴とする記録再生装置。
【請求項２】 請求項１に記載の記録再生装置において、
上記付加情報は、少なくとも、演奏者名、アルバム名、各トラックの時間、各トラックの曲名を有し、上記記憶手段にデータベース化して記録される
ことを特徴とする記録再生装置。
【請求項３】 請求項１に記載の記録再生装置において、
上記送信手段は、複数の識別情報を送信し、
上記受信手段は、上記複数の識別情報に従って上記第２の記憶媒体から検索された複数の付加情報を受信する
ことを特徴とする記録再生装置。
【請求項４】  第１の記憶媒体からデータを再生する再生のステップと、
上記第１の記憶媒体から再生されたデータより生成された識別情報を送信する送信のステップと、
上記送信のステップによって送信された上記識別情報に従って第２の記憶媒体から検索された上記識別情報に対応する付加情報を受信する受信のステップと、
上記受信のステップによって受信された上記付加情報を上記データあるいは上記識別情報に対応させて記憶手段に記録する記録のステップと、
上記記憶手段に記録される上記付加情報に基づいて上記第１の記憶媒体に記憶される上記データあるいは上記識別情報を検索する検索のステップと
を備える
ことを特徴とする送受信方法。
【請求項５】 第１の記憶媒体からデータを再生する再生のステップと、
上記第１の記憶媒体から再生されたデータより生成された識別情報を送信する送信のステップと、
上記送信のステップによって送信された上記識別情報に従って第２の記憶媒体から検索された上記識別情報に対応する付加情報を受信する受信のステップと、
上記受信のステップによって受信された上記付加情報を上記データあるいは上記識別情報に対応させて記憶手段に記録する記録のステップと、
上記記憶手段に記録される上記付加情報に基づいて上記第１の記憶媒体に記憶される上記データあるいは上記識別情報を検索する検索のステップと
をコンピュータに実行させるためのプログラムが記憶された
ことを特徴とする記憶媒体。
【手続補正３】
【補正対象書類名】明細書
【補正対象項目名】０００１
【補正方法】変更
【補正の内容】
【０００１】
【発明の属する技術分野】
この発明は、装置に内蔵された記憶または記録媒体に多数、記憶または記録された音楽データの検索を容易に行えるようにした記録再生装置、送受信方法および記憶媒体に関する。
【手続補正４】
【補正対象書類名】明細書
【補正対象項目名】００１４
【補正方法】変更
【補正の内容】
【００１４】
したがって、この発明の目的は、装置に内蔵された記憶または記録媒体に多数が蓄積された、ＣＤに記録されたオーディオデータが読み出されたオーディオデータを、容易に検索できるようにした記録再生装置、送受信方法および記憶媒体を提供することにある。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
【課題を解決するための手段】
上述した課題を解決するために、請求項１に記載の発明は、第１の記憶媒体からデータを再生する再生手段と、第１の記憶媒体から再生されたデータより生成された識別情報を送信する送信手段と、送信手段によって送信された識別情報に従って第２の記憶媒体から検索された識別情報に対応する付加情報を受信する受信手段と、受信手段により受信された付加情報をデータあるいは識別情報に対応させて記憶手段に記録する記録手段と、記憶手段に記録される付加情報に基づいて第１の記憶媒体に記憶されるデータあるいは識別情報を検索する検索手段とを備えることを特徴とする記録再生装置である。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
また、請求項４に記載の発明は、第１の記憶媒体からデータを再生する再生のステップと、第１の記憶媒体から再生されたデータより生成された識別情報を送信する送信のステップと、送信のステップによって送信された識別情報に従って第２の記憶媒体から検索された識別情報に対応する付加情報を受信する受信のステップと、受信のステップによって受信された付加情報をデータあるいは識別情報に対応させて記憶手段に記録する記録のステップと、記憶手段に記録される付加情報に基づいて第１の記憶媒体に記憶されるデータあるいは識別情報を検索する検索のステップとを備えることを特徴とする送受信方法である。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】変更
【補正の内容】
【００２１】
また、請求項５記載の発明は第１の記憶媒体からデータを再生する再生のステップと、第１の記憶媒体から再生されたデータより生成された識別情報を送信する送信のステップと、送信のステップによって送信された識別情報に従って第２の記憶媒体から検索された識別情報に対応する付加情報を受信する受信のステップと、受信のステップによって受信された付加情報をデータあるいは識別情報に対応させて記憶手段に記録する記録のステップと、記憶手段に記録される付加情報に基づいて第１の記憶媒体に記憶されるデータあるいは識別情報を検索する検索のステップとをコンピュータに実行させるためのプログラムが記憶されたことを特徴とする記憶媒体である。
【手続補正１２】
【補正対象書類名】明細書
【補正対象項目名】００２２
【補正方法】変更
【補正の内容】
【００２２】
上述したように、この発明は、第１の記憶媒体に記憶される識別情報が読み出され、識別情報に従って第２の記憶媒体から識別情報に対応する付加情報が読み出され、付加情報が第１の記憶媒体に記憶されるデータあるいは識別情報に対応させて記憶されるため、記憶された付加情報に基づき第１の記憶媒体に記憶されているデータあるいは識別情報を検索することができる。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】